(57)【要約】      （修正有）【課題】原子炉用熱除去システムおよび、その方法を提供する。【解決手段】熱除去システムが、伝熱媒体を貯蔵するように構成されている貯蔵タンクと、伝熱媒体を貯蔵タンクから原子炉３０に選択的に移送するように構成されている移送システムと、移送システムに作動可能に連結されている送出システムとを備える。送出システムが、伝熱媒体を原子炉の圧力抑制プール室１０に送出するように構成されている。圧力抑制プール室が、圧力抑制プール１５を収容する。【選択図】図１
2013228387.tif 000002
【特許請求の範囲】
【請求項１】
原子炉用熱除去システムであって、
伝熱媒体を貯蔵するように構成されている貯蔵タンクと、
前記伝熱媒体を前記貯蔵タンクから前記原子炉に選択的に移送するように構成されている移送システムと、
前記移送システムに作動可能に連結され、前記伝熱媒体を前記原子炉の圧力抑制プール室に送出するように構成されている送出システムであって、前記圧力抑制プール室が圧力抑制プールを収容する、送出システムと
を備えるシステム。
【請求項２】
前記伝熱媒体が水である、請求項１記載のシステム。
【請求項３】
前記移送システムが、少なくとも１つのパイプを含む、請求項１記載のシステム。
【請求項４】
前記移送システムが、複数のパイプを含む、請求項３記載のシステム。
【請求項５】
前記移送システムが、前記複数のパイプの少なくとも１つを通る前記伝熱媒体の流れを制御するように構成されている少なくとも１つのバルブを含む、請求項４記載の移送システム。
【請求項６】
前記移送システムが、前記パイプを通る前記伝熱媒体の流れを制御するように構成されている少なくとも１つのバルブを含む、請求項３記載の移送システム。
【請求項７】
前記送出システムが、前記圧力抑制プール室内に少なくとも１つの開口を画定する、請求項１記載のシステム。
【請求項８】
前記開口が、前記圧力抑制プール室の中間点よりも上に配置されている、請求項７記載のシステム。
【請求項９】
前記送出システムが、前記圧力抑制プール室内に複数の開口を画定し、前記複数の開口の２つ以上が前記圧力抑制プール室の前記中間点よりも上にある、請求項８記載のシステム。
【請求項１０】
前記送出システムが、前記伝熱媒体を前記圧力抑制プールの筐体上へ送出して、熱を除去するように構成されている、請求項８記載のシステム。
【請求項１１】
前記送出システムが、前記伝熱媒体を前記圧力抑制プールの筐体上へ送出するように構成されている、請求項７記載のシステム。
【請求項１２】
前記送出システムが、部分的に前記圧力抑制プールの筐体の上方に配置されている少なくとも１つのパイプを含み、前記パイプが、前記伝熱媒体を前記圧力抑制プールの前記筐体上へ送出するための少なくとも１つの開口を含む、請求項１記載のシステム。
【請求項１３】
前記送出システムが、前記伝熱媒体を前記圧力抑制プールの筐体上に噴霧するように構成されている噴霧機構を含む、請求項１記載のシステム。
【請求項１４】
前記貯蔵タンクが、前記圧力抑制プール室の中間点よりも上に配置されている、請求項１記載のシステム。
【請求項１５】
前記圧力抑制プール室からガスを逃がすように構成されている通気孔をさらに備える、請求項１記載のシステム。
【請求項１６】
原子炉から熱を除去する方法であって、
伝熱媒体が貯蔵タンクから熱移送システムを介して送出システムに流れることを可能にするように、移送システムの少なくとも１つの流れ制御バルブを作動させるステップを含み、前記送出システムが、前記伝熱媒体を前記原子炉の圧力抑制プール室に供給するように構成されており、前記圧力抑制プール室が圧力抑制プールを収容する、方法。
【請求項１７】
前記作動させるステップが、前記流れ制御バルブの部分を形成する弾薬を爆発させるステップを含む、請求項１６記載の方法。
【請求項１８】
前記作動させるステップが、他の熱移送技術と併せて実施される、請求項１６記載の方法。
【請求項１９】
原子炉用熱除去システムを提供する方法であって、
前記原子炉内に送出システムを設置するステップであって、前記送出システムが、伝熱媒体を圧力抑制プール室に送出するように構成されており、前記圧力抑制プール室が、圧力抑制プールを備える、ステップと、
前記圧力抑制プール室内に少なくとも１つの通気孔を設置するステップであって、前記通気孔が、前記圧力抑制プール室からガスを逃がすように構成されている、ステップと
を含む方法。
【請求項２０】
前記送出システムと貯蔵タンクとの間に移送システムを連結するステップであって、前記貯蔵タンクが前記伝熱媒体を貯蔵し、前記移送システムが、前記伝熱媒体を前記貯蔵タンクから前記送出システムに選択的に移送するように構成されている、ステップをさらに備える、請求項１９記載の方法。
【発明の詳細な説明】
【技術分野】
【０００１】
例示的な実施形態は、一般に原子炉に関し、より詳細には、沸騰水型原子炉（ＢＷＲ：Ｂｏｉｌｉｎｇ  Ｗａｔｅｒ  Ｒｅａｃｔｏｒ）原子炉の圧力抑制プール用の代替冷却システムのための方法および装置に関する。冷却システムは、プラント電力が中断される、または他の方法で圧力抑制プールの通常の冷却が損なわれる原因となるプラントの緊急事態が発生した場合に、特に有益となり得る。また、冷却システムは、従来の残余熱除去システムを補うために使用することもできる。
【背景技術】
【０００２】
図１は、従来の沸騰水型原子炉（ＢＷＲ）原子炉建屋の切断図である。原子炉建屋５は、圧力抑制プール１５が配置されている圧力抑制プール室１０を含む。圧力抑制プール１５は、原子炉建屋の一次格納容器の部分を形成する円環体形状の筐体である。具体的には、圧力抑制プール１５は鋼製の一次格納容器２０の延長部分であり、一次格納容器２０は、原子炉建屋５のシェル２５内に配置されている。圧力抑制プール１５は、原子炉３０および使用済み燃料プール３５の下部に配置され、ある種の事故発生中に格納容器圧力が増加することを制限するために使用される。特に、圧力抑制プール１５は、プラント事故発生中に放出される蒸気を冷却し凝縮するために使用される。例えば、プラント安全／逃がし弁は、蒸気を圧力抑制プール１５内に排出し、蒸気を凝縮し、望ましくない圧力の増加を軽減するように設計されている。従来、ＢＷＲ圧力抑制プール１５は、全直径（すなわち、配置図直径）で約１４０フィートであり、直径３０フィートの円環体形状のシェルを有する。通常の作動中に、圧力抑制プール１５は、通常、プール内に深さ約１５フィートの水を有する（通常の作動中に、圧力抑制プール１５内に約１，０００，０００ガロンの圧力抑制プール水を有する）。
【０００３】
プール１５は、従来、ＢＷＲプラントの残余熱除去（ＲＨＲ：ｒｅｓｉｄｕａｌ  ｈｅａｔ  ｒｅｍｏｖａｌ）システムによって、浄化および冷却される。通常の（事故ではない）プラント状態の間、ＲＨＲシステムは、圧力抑制プール１５から（従来のＲＨＲポンプを使用して）水を除去し、水の中に含まれる可能性のある不純物およびいくつかの放射性同位体を除去するための純水装置（図示せず）を通して水を送ることができる。プラント事故発生中、ＲＨＲシステムもまた、いくらかの圧力抑制プール水を圧力抑制プール１５から除去し、冷却のためにその水を熱交換器（ＲＨＲシステム内）に送るように設計されている。
【０００４】
重大なプラントの事故発生中、通常のプラント電力が中断される場合がある。特に、プラントには、従来のＲＨＲシステムおよびポンプを作動する通常の電力がない場合がある。電力が長い時間中断された場合、圧力抑制プール１５内の水がついには沸騰することがあり、プラント蒸気を凝縮し、格納容器圧力を減少させる圧力抑制プール１５の能力を損なうおそれがある。
【０００５】
プラントの緊急事態には、ＲＨＲシステムを使用すると、高度な放射性水（許容設計限度を超える）が、圧力抑制プール１５とＲＨＲシステム（一次格納容器の外側に配置されている）との間で移送されることになり得る。高度な放射性水を圧力抑制プール１５とＲＨＲシステムとの間で移送すると、それ自体、圧力抑制プール１５から漏れ出る有害な放射性同位体の漏れが潜在的に増加することになる。加えて、ＲＨＲシステムの領域内の放射線量比率が、事故発生中、極めて高くなる可能性があり、プラントの作業員がシステムに接近し、制御することが困難になる。
【先行技術文献】
【特許文献】
【０００６】
【特許文献１】米国特許第５０４３１３６号明細書
【発明の概要】
【０００７】
少なくとも１つの実施形態が、原子炉用熱除去システムを対象とする。
【０００８】
一実施形態では、熱除去システムが、伝熱媒体を貯蔵するように構成されている貯蔵タンクと、伝熱媒体を貯蔵タンクから原子炉に選択的に移送するように構成されている移送システムと、移送システムに作動可能に連結されている送出システムとを備える。送出システムが、伝熱媒体を原子炉の圧力抑制プール室に送出するように構成されている。圧力抑制プール室が、圧力抑制プールを収容する。
【０００９】
一実施形態では、移送システムが、伝熱媒体の流れを制御するように構成されている少なくとも１つのバルブを含む。
【００１０】
一実施形態では、送出システムが、圧力抑制プール室内に少なくとも１つの開口を画定する。例えば、開口が圧力抑制プール室の中間点よりも上に配置可能である。
【００１１】
一実施形態では、送出システムが、伝熱媒体を圧力抑制プールの筐体上へ送出して、熱を除去するように構成されている。
【００１２】
一実施形態では、熱除去システムが、圧力抑制プール室からガスを逃がすように構成されている通気孔をさらに含む。
【００１３】
少なくとも１つの実施形態が、原子炉から熱を除去する方法を対象とする。
【００１４】
一実施形態では、方法が、伝熱媒体が貯蔵タンクから熱移送システムを介して送出システムに流れることを可能にするように、移送システムの少なくとも１つの流れ制御バルブを作動させるステップを含む。送出システムが、伝熱媒体を原子炉の圧力抑制プール室に供給するように構成されており、圧力抑制プール室が圧力抑制プールを収容する。
【００１５】
少なくとも１つの実施形態が、原子炉用熱除去システムを提供する方法を対象とする。
【００１６】
一実施形態では、方法が、原子炉内に送出システムを設置するステップを含む。送出システムが、伝熱媒体を圧力抑制プール室に送出するように構成されており、圧力抑制プール室が、圧力抑制プールを含む。その方法は、さらに、圧力抑制プール室内に少なくとも１つの通気孔を設置するステップを含む。通気孔が、圧力抑制プール室からガスを逃がすように構成されている。
【００１７】
その方法は、送出システムと貯蔵タンクとの間に移送システムを連結するステップをさらに含む。貯蔵タンクが伝熱媒体を貯蔵し、移送システムが、伝熱媒体を貯蔵タンクから送出システムに選択的に移送するように構成されている。
【００１８】
例示的な実施形態の上記および他の特徴ならびに利点が、添付の図面に関して例示的な実施形態を詳細に説明することによってより明らかになるであろう。以下の図面は、例示的な実施形態を説明するためであり、特許請求の範囲の意図している範囲を限定するためではないと解釈されたい。以下の図面は、明確に述べられていない限り、原寸に比例して示されていると考えるべきではない。
【図面の簡単な説明】
【００１９】
【図１】従来の沸騰水型原子炉（ＢＷＲ）原子炉建屋の切断図である。
【図２】本発明による、ＢＷＲ建屋および熱除去システムの切断図である。
【図３Ａ】別の例示的な実施形態の移送システムの図である。
【図３Ｂ】別の例示的な実施形態の移送システムの図である。
【図４】さらに別の実施形態の送出システム１２０の図である。
【図５】熱除去システムを設置する方法の図である。
【図６】例示的な実施形態による熱除去の方法の図である。
【発明を実施するための形態】
【００２０】
詳細な例示的な実施形態を本明細書に開示する。しかし、本明細書に開示する特定の構造的、および機能的な詳細は、単に例示的な実施形態を説明するために示している。しかし、例示的な実施形態は、多くの代替形態で実施することができ、本明細書に説明する実施形態にのみ限定されると考えるべきではない。
【００２１】
したがって、例示的な実施形態は様々な修正形態および代替形態であることができるが、その実施形態は、図面の中の例によって示され、本明細書に詳細に説明することになる。しかし、例示的な実施形態を開示する特定の形態に限定する意図はなく、むしろそれとは反対に、例示的な実施形態は、例示的な実施形態の範囲内に入るすべての修正形態、均等物、および代替形態を包含すべきであることを理解されたい。同じ符号は、図面全体で同じ構成要素を指す。
【００２２】
第１の、第２のなどの用語は、様々な要素を説明するために本明細書で使用する場合があるが、これらの要素をこれらの用語に限定するのではないということを理解されたい。１つの要素と別の要素とを区別する目的でのみこれらの用語を使用する。例えば、第１の要素は第２の要素と呼ぶことができ、同様に、例示的な実施形態の範囲を逸脱することなく、第２の要素は第１の要素と呼ぶことができる。本明細書で使用すると、「および／または」という用語は、１つまたは複数の、関連して記載されている項目の任意の、およびすべての組合せを含む。
【００２３】
ある要素が別の要素に「連結される（ｃｏｎｎｅｃｔｅｄ）」、「結合される（ｃｏｕｐｌｅｄ）」と述べる場合、その要素は他の要素に直接的に連結または結合されている場合があり、または介在する要素が存在する場合があることを理解されたい。対照的に、ある要素が別の要素に「直接連結される（ｄｉｒｅｃｔｌｙ  ｃｏｎｎｅｃｔｅｄ）」、または「直接結合される（ｄｉｒｅｃｔｌｙ  ｃｏｕｐｌｅｄ）」と述べる場合、介在する要素は存在しない。要素間の関係を説明するために使用する他の語は、そのようなものとして（例えば、「間に（ｂｅｔｗｅｅｎ）」対「直接間に（ｄｉｒｅｃｔｌｙ  ｂｅｔｗｅｅｎ）」、「隣接する（ａｄｊａｃｅｎｔ）」対「直接隣接する（ｄｉｒｅｃｔｌｙ  ａｄｊａｃｅｎｔ）」など）解釈するべきである。
【００２４】
本明細書で使用する用語は、単に特定の実施形態を説明するためのものであり、例示的な実施形態を限定することを意図するものではない。本明細書で使用する場合、単数形「ａ」、「ａｎ」および「ｔｈｅ」は、別段文脈により明確に示されない限り、複数形もまた含むものとする。「ｃｏｍｐｒｉｓｅｓ（備える）」、「ｃｏｍｐｒｉｓｉｎｇ（備える）」、「ｉｎｃｌｕｄｅｓ（含む）」および／または「ｉｎｃｌｕｄｉｎｇ（含む）」という用語は、本明細書で使用する場合、述べる特徴、整数、ステップ、動作、要素、および／または構成要素の存在を特定するが、しかし、１つまたは複数の他の特徴、整数、ステップ、作動、要素、構成要素、および／またはそのグループの存在または追加を排除するものではないことをさらに理解されたい。
【００２５】
記載するいくつかの代替の実施、機能／作用が、図面の中で記載される順番通りではなく発生する場合があることにも留意されたい。例えば、連続して示される２つの図面が、含まれる機能／作用に応じて、実際は実質的に同時に実施される場合があり、または逆の順番で実施される場合がある。
【００２６】
図２は、例示的な実施形態による、沸騰水型原子炉（ＢＷＲ）原子炉建屋および熱除去システムの切断図である。原子炉建屋５は、圧力抑制プール室１０を備え、圧力抑制プール室１０の中に圧力抑制プール１５が配置されている。圧力抑制プール１５は、原子炉建屋の一次格納容器の部分を形成する円環体形状の筐体であり、圧力抑制プール水を含む。具体的には、圧力抑制プール１５は鋼製の一次格納容器２０の延長部分であり、一次格納容器２０は、原子炉建屋５のシェル２５内に配置されている。圧力抑制プール１５は、原子炉３０および使用済み燃料プール３５の下部に配置され、ある種の事故発生中に格納容器圧力が増加することを制限するために使用される。特に、圧力抑制プール１５は、通常の状態、および通常ではない状態の間にプラント安全弁から放出される蒸気を冷却し凝縮するために使用される。例えば、多くのプラント安全／逃がし弁は、蒸気を圧力抑制プール１５内に排出し、蒸気を凝縮し、格納容器内の望ましくない圧力の増加を軽減するように設計されている。この例では、ＢＷＲ圧力抑制プール１５は、全直径が約１４０フィート（すなわち、配置図直径）であり、直径３０フィートの円環体形状の筐体またはシェルを有する。通常の作動中に、圧力抑制プール１５は、プール内に深さ約１５フィートの圧力抑制プール水を有することができる（通常の作動中に、圧力抑制プール１５内に約１，０００，０００ガロンの圧力抑制プール水を有する）。
【００２７】
プール１５は、ＢＷＲプラントの残余熱除去（ＲＨＲ）システムによって、浄化および冷却され得る。通常の（事故ではない）プラント状態の間、ＲＨＲシステムは、圧力抑制プール１５から水を除去し（従来のＲＨＲポンプを使用して）、水の中に含まれる可能性のある不純物およびいくつかの放射性同位体を除去するための純水装置（図示せず）を通して水を送ることができる。プラント事故発生中、ＲＨＲシステムもまた、冷却のために熱交換器（ＲＨＲシステム内）で圧力抑制プールから熱を除去するように設計されている。
【００２８】
一実施形態により、熱除去システムがさらに設けられる。熱除去システムは、貯蔵タンク１０５、移送システム１１０および送出システム１２０を備える。貯蔵タンク１０５は、伝熱媒体１０７を貯蔵する。伝熱媒体１０７は、水または海水などであってよい。一実施形態では、貯蔵タンク１０５は、圧力抑制プール１５の中間点Ｍよりも高い高さに配置されている。
【００２９】
移送システム１１０は、貯蔵タンク１０５からＢＷＲ建屋５までの１つまたは複数の流体連通通路をもたらすように構成されている。例えば、移送システム１１０は、第１のパイプ１１３、流れ制御バルブ１１５および第２のパイプ１１７を含むことができる。第１のパイプ１１３は、貯蔵タンク１０５から伝熱媒体１０７を受け取る。流れ制御バルブ１１５は、第１のパイプ１１３から第２のパイプ１１７までの伝熱媒体１０７の流れを制御する。第２のパイプ１１７は、ＢＷＲ建屋５の送出システム１２０に伝熱媒体１０７を供給する。移送システム１１０は、貯蔵タンク１０５から伝熱媒体１０７を受け取る１つまたは複数のパイプを含むことができることを理解されたい。移送システム１１０は、送出システム１２０に伝熱媒体１０７を供給する１つまたは複数のパイプを含むことができることをさらに理解されたい。さらに、移送システム１１０は、貯蔵タンク１０５から送出システム１２０までの伝熱媒体１０７の流れを制御する１つまたは複数の流れ制御バルブを含むことができることをさらに理解されたい。
【００３０】
例えば、図３Ａは、移送システム１１０の別の例示的な実施形態を図示する。この実施形態では、移送システム１１０は、複数の第２のパイプ１１７−１〜１１７−Ｎを含み、Ｎは１よりも大きい整数である。図３Ｂは、移送システム１１０の別の例示的な実施形態を図示する。この実施形態では、移送システム１１０は、複数の第１のパイプ１１３−１〜１１３−Ｎを含み、複数の流れ制御バルブ１１５−１〜１１５−Ｎに１対１で対応し、複数の第２のパイプ１１７−１〜１１７−Ｎに１対１で対応しており、Ｎは１よりも大きい整数である。
【００３１】
図２に戻ると、送出システム１２０は、移送システム１１０に連結され、圧力抑制プール室１０の中に貫通している少なくとも１つのパイプ１２３を備える。パイプ１２３は、伝熱媒体１０７を圧力抑制プール室１０の中に送出するために、圧力抑制プール室１０の中に少なくとも１つの開口１２５を画定する。一実施形態では、開口１２５は、圧力抑制プール１５の中間点Ｍよりも少なくとも上にある。さらに、図２に示すように、開口１２５は圧力抑制プール１５の上方に配置可能であり、圧力抑制プール室１０の中に流れ込む伝熱媒体１０７が、圧力抑制プール１５の筐体の上方に流れるようになる。
【００３２】
送出システム１２０は、移送システム１１０に連結され、圧力抑制プール室１０の中に１つまたは複数の開口１２５を画定する１つまたは複数のパイプ１２３を含むことができることを理解されたい。さらに、複数のパイプ１２３が設けられる場合、複数のパイプ１２３は、圧力抑制プール室１０の周りの異なる位置に配置可能である。一実施形態では、１つまたは複数のパイプ１２３が、圧力抑制プール１５の中間点Ｍよりも少なくとも上に配置される。さらに、一実施形態では、複数のパイプ１２３の開口１２５の少なくとも１つが圧力抑制プール１５の上方に配置可能であり、圧力抑制プール室１０の中に流れ込む伝熱媒体１０７が、圧力抑制プール１５の筐体の上方に流れるようになる。
【００３３】
図４は、送出システム１２０の別の実施形態を図示する。この実施形態では、送出システム１２０が、入口パイプ１４０およびマニホルド１４５を含む。入口パイプ１４０は、移送システム１１０に連結され、圧力抑制プール室１０の中に貫通している。マニホルド１４５は、入口パイプ１４０に連結され、移送システム１１０から入口パイプ１４０を通って流れる伝熱媒体１０７が、マニホルド１４５内に流れ込むようになっている。マニホルド１４５は、複数の開口１４７を含む環状パイプであることができ、開口１４７から伝熱媒体１０７が、圧力抑制プール室１０内に流れ込む。図４に示すように、マニホルド１４５は、圧力抑制プール１５の上方に配置され、マニホルド１４５によって供給される伝熱媒体１０７が、圧力抑制プール１５の筐体の上方に流れるようになる。図４の実施形態では、支柱１５０を圧力抑制プール室１０の壁に固定し、マニホルド１４５を圧力抑制プール１５よりも上で支持するようにマニホルド１４５に取り付けることができる。
【００３４】
図４の実施形態では、マニホルド１４５は、圧力抑制プール１５の形状に対合する環状形状を有するように示されている。しかし、マニホルドは、この形状に限定されるものではない。例えば、マニホルド１４５は、多角形の形状を有することができ、それでもやはり、実質的に圧力抑制プール１５の上方に配置可能である。
【００３５】
例示的な実施形態は、マニホルド１４５に連結されている単一の入口パイプを有する送出システムに限定されないことをさらに理解されたい。例示的な実施形態は、単一のマニホルドを有する送出システムに限定されないことをさらに理解されたい。
【００３６】
別の実施形態では、マニホルドの代わりに、スプリンクラシステムが設けられて、伝熱媒体１０７を圧力抑制プール１５上へ噴霧することができる。
【００３７】
加えて、実施形態は、単一の貯蔵タンク、および／または単一の移送システム、および／または単一の送出システムに限定されない。
【００３８】
図２にさらに示すように、熱除去システムは、また、１つまたは複数の通気孔１３０を含むことができる。各通気孔１３０は、ガスが圧力抑制プール室１０から逃げることができるように構成されている。理解されるように、十分に高い温度は、伝熱媒体１０７をガス状態に変化させ、圧力抑制プール室１０内の圧力を増加させる原因になる場合がある。１つまたは複数の通気孔１３０がこの圧力を低減して、追加の安全対策をもたらす。
【００３９】
次に、熱除去システムの設置および作動を図５および図６に関連して説明することになる。図５は、熱除去システムを設置する方法を図示する。図示のように、方法は、ステップＳ５１０で、ＢＷＲ建屋５の中に送出システム１２０および通気孔１３０を設置するステップを含む。次に、ステップＳ５２０で、送出システム１２０は、移送システム１１０に連結される。移送システム１１０は、貯蔵タンク１０５に既に連結されていてもよく、または送出システム１２０に連結された後、貯蔵タンクに連結されてもよい。
【００４０】
図６は、例示的な実施形態による、熱除去の方法を図示する。図示のように、方法は、ステップＳ６１０で、移送システム１１０の少なくとも１つの流れ制御バルブ１１５を作動させるステップを含み、伝熱媒体１０７が、移送システム１１０を介して貯蔵タンク１０５から送出システム１２０に流れることを可能にする。貯蔵タンク１０５は、圧力抑制プール１５の中間点Ｍよりも上に配置され、重力により、伝熱媒体１０７が圧力抑制プール室１０を満たし、圧力抑制プール１５の少なくとも半分が伝熱媒体１０７の中に沈むことになる。流れ制御バルブ１１５は、電気信号によって作動可能であり、バルブの物理的係合部などによって作動可能である。別の例として、流れ制御バルブ１１５は爆発制御バルブであることができ、流れ制御バルブに関連する弾薬を爆発させるステップが、流れ制御バルブを作動させる。
【００４１】
移送システム１１０、および／または貯蔵タンク１０５は、移送システム１１０を通る伝熱媒体１０７をポンプで汲み出すポンプを含むことができる。
【００４２】
一実施形態では、貯蔵タンク１０５、流れ制御バルブ１１５およびそれに関連する制御は、プラント作業員の安全のために、圧力抑制プール１５から離れている遠隔位置に配置可能である。すなわち、これらの要素の位置は、圧力抑制プール１５から離れていることができ、それによって、人による作業が放射線に曝される危険性を低減することが可能になる。
【００４３】
例示的な実施形態による熱除去システムは、ＢＷＲプラント作動の前に設置されてもよく、レトロフィット式のシステムとして設置されてもよい。
【００４４】
熱除去システムが、プラント事故の状態以外の時期の間に使用可能であることを理解されたい。例えば、熱除去システムは、ＲＨＲシステムによる通常の圧力抑制プールの冷却を単に補助するために使用可能であって、圧力抑制プールシステムに追加の温度設計の余裕を提供することができる。
【００４５】
したがって、例示的な実施形態について説明したが、その実施形態が多くの方法で変形可能であることは明らかである。そのような変形形態は、例示的な実施形態の意図する精神および範囲から逸脱していると見做すべきではなく、当業者にとって明らかな、そのようなすべての修正形態は、以下の特許請求の範囲の範囲内に含まれるとものとする。
【符号の説明】
【００４６】
５  原子炉建屋
１０  圧力抑制プール室
１５  圧力抑制プール
２０  一次格納容器
２５  シェル
３０  原子炉
３５  使用済み燃料プール
１０５  貯蔵タンク
１０７  伝熱媒体
１１０  移送システム
１１３  第１のパイプ
１１３−１  第１のパイプ
１１３−Ｎ  第１のパイプ
１１５  流れ制御バルブ
１１５−１  流れ制御バルブ
１１５−Ｎ  流れ制御バルブ
１１７  第２のパイプ
１１７−１  第２のパイプ
１１７−Ｎ  第２のパイプ
１２０  送出システム
１２３  パイプ
１２５  開口
１３０  通気孔
Ｍ  中間点
１４０  入口パイプ
１４５  マニホルド
１４７  開口
１５０  支柱
Ｓ５１０  送出システムおよび通気孔を設置する
Ｓ５２０  送出システムを移送システムに連結する
Ｓ６１０  少なくとも１つの流れ制御バルブを作動させる
【図１】
2013228387.tif 000003
【図２】
2013228387.tif 000004
【図３Ａ】
2013228387.tif 000005
【図３Ｂ】
2013228387.tif 000006
【図４】
2013228387.tif 000007
【図５】
2013228387.tif 000008
【図６】
2013228387.tif 000009